(57)【要約】巻き揚げ装置内でコンクリート保持用ケーソン実現のためのシステムであって次の形態中で除去される必要のないものにおいて：煉瓦または他の材料で造られているパネル（Ｐ）であってコンクリート収容機能を備え、エヤースペースまたは遮断材料充満スペース付きのパネルと；パネル（Ｐ）を水平と垂直方向に連結するためのインサート（ＩＳ）であって、ケーソンを補強コンクリートに対して掛け止めかつ金属補強材の位置制御のためのインサートと；孔付きの各種材料で造られ得る保持用直角部（ＳＱ）であって鋳込み中のパネル掛け止めおよび柱の垂直姿勢完全保持のための直角部と；上記直角部のための連結ロッドと；上記ロッドおよび直角部の固定用釘を包含し；コンクリート鋳込みの最後に上記最終の構成要素−釘、ロッドおよび直角部が取り外されて再使用され得るように構成されている、システムである。
2004533567.tif 000002
【特許請求の範囲】
【請求項１】
最終構造の一部として残すべき（補強）コンクリート鋳込みのためのケーソン構造の具体化および装備用のシステムであって：
−煉瓦または他の材料で造られているパネル（Ｐ）であってコンクリート収容機能を備え、並行六面体ケーソン実現のために端部（ＭおよびＦ）の手段により相互に連結されており、更に断熱遮音容量増加のためのエヤースペース（Ａ）を備えかつ上記パネルをコンクリート鋳込みに対する掛け止めを保ちかつケージ（Ｇ）の鉄と所定間隔を保つパネルと；
−パネル（Ｐ）を水平と垂直方向に連結するための要素（１）付きのインサート（ＩＳ）であって；補強（鉄カバー）内の鉄の制御および孔（３）内へコンクリートを貫通させることによるパネルの掛け止めのための要素（２）を備え；パネルのために支持面（４）および補足間隔要素を備え；かつ上記パネル支持のための要素（５）を備え；
−プラスチック材料、鉄、木、アルミニュームまたはそれらの組み合わせで具体化され得る直角部（ＳＱ）を備え、その直角部は柱を垂直にするために連結ロッド挿入用の孔（６）および保持ロッド（ＳＴ）連結のための釘（Ｃ）挿入用の孔（７）を備えていることを特徴とする、システム。
【請求項２】
請求項１によるシステムにおいて、上記ケーソンおよび鋳込みの各種構成要素間の熱膨張を吸収しかつ／またはバランスさせる材料を使用することができ、かつ熱膨張をバランスさせるための形が使用されていることを特徴とする、システム。
【請求項３】
請求項１によるシステムにおいて、上記ケーソンを形成しているパネルＰおよび上記パネルを組み立てている上記インサートＩＳは鋳込み体の側部に端部を持ち、この端部がそれらの掛け止めに使用されると共に補強材が鋳込み体の限界へかつ上記ケーソンに向かい動くことを阻止しており、それらの位置に留まって空気中の酸素が上記補強材へと貫通することの更なる障壁を形成し、このようにしてコンクリート内の鉄の酸化を阻止していることを特徴とする、システム。
【発明の詳細な説明】
【技術分野】
【０００１】
本発明は最終構造の組成物として残される、（補強された）コンクリート鋳込みのケーソン構造の具体化および装備用のシステムに関する。
【背景技術】
【０００２】
従来型ケーソン具体化のために現在最も使用されている方法として知られているものは、依然として板、多層パネルおよび同様物を使用し、それらが釘、ブラケットおよび他のつなぎ梁の手段により組み立てられる。
【０００３】
これは上述の全てのシステムは鋳込みから所定期間後にケーソンが分解することを意味している。ケーソンが分解されない時は、それは通常スペースの問題に依存している。
【発明の開示】
【発明が解決しようとする課題】
【０００４】
本発明の目的は最終構造物内に残されるケーソン具体化用の新しいシステムを提供することであり、異なる可能な種類の材料からなり、これらの材料は色々な種類および形の煉瓦、プラスチック材料、発泡または非発泡合成樹脂、金属、天然石、木および引出し製品、セラミックスおよび／またはそれらの組合わせである。
【課題を解決するための手段】
【０００５】
鋳込まれたコンクリートを保持しかつ除去されない、本発明によるケーソン具体化のためのシステムであって：
−煉瓦または他の材料から造られコンクリート保持機能を有するパネルであって、エヤースペースまたは遮断材料充満スペース付きのパネル；
−インサートであって、垂直は勿論水平方向にあるパネルの接続用であり、補強されたコンクリートに対するケーソン掛け止め用でありかつ金属補強材の位置制御用のインサート；
−保持用直角部であって、各種材料から実現することができ鋳込み中にパネルを掛け止めかつ柱を垂直に保つための直角部；
−上記直角部のための連結ロッド；
−上記ロッドおよび直角部固定のための釘を包含し；コンクリート鋳込みの最後に上記構成要素−釘、ロッドおよび直角部−が除去されて再使用されるように構成されている。
【従来技術より有効な効果】
【０００６】
上述構成要素を包含しているシステムはコンクリート鋳込みを許容し、このシステムは多くのかつ顕著な利点を備えている：
−製造時間の短縮：ケーソンを形成するパネルのための結合および連結システムが組立て作業を特に迅速化しかつ分解を無効にしかつ組立てのために使用される要素の回収時間を速くする；
−産業事故および廃棄物処理の低減：知られているように、切断、釘打ち、化学物質緩和材料による処理、分解は勿論、古い構成要素の再生が、従来型作業、作業者に対する高い危険度を包含しているが、これらの全ての危険は本発明によるケーソンで顕著に減少され、かつ汚染および汚染廃棄材料が無効にされる；
−断熱遮音：コンクリート構造体が厄介な凝縮現象との協動で熱ブリッジとなることが知られているが、本発明によるケーソンは低熱伝導およびエヤースペース付きの材料からなり、結果として遮断容量が顕著に増加している；
−鉄補強の外側からの距離の制御および増加：コンクリートによる鉄の被覆は全ての補強コンクリート製構成体の耐久性および時間的安定性のために基本的かつ決定的要素であることが知られており、かつもし鋳込み中に鉄ケージを外側に置き換えると酸化を受けてその酸化がクラックを起こす体積の増加を決定することも知られているが、本発明によるケーソンを使用するとこの問題はあざやかに解決される。実際に、上記ケーソンを形成するパネルまたはケーソンを組み立てるインサートは鋳込み側に多数の突起を備えており、これらの突起はそれらの掛け止めのために使用されかつまた補強の鋳込み制限側および上記ケーソン側への移動阻止のために使用される。所定位置に残留した上記ケーソンは空気中に含まれている酸素が補強側へ貫通することに対する更なる障壁を形成する；
−製品表面のコーテイングおよび仕上げ：既に実施されている鋳込みの表面に対して適用されているいかなる装飾的コーテイングにも常に長期の抵抗を有する簡単な掛け止めには大きい困難があったが、本発明によるケーソンは、使用されている材料により、上記問題を簡単に解決している；
−外側垂直閉塞体およびコンクリート構造体に対する内側の垂直仕切りの安定した連結の熱湿度管理および機械性能は他の材料から変わり、かつコンクリートに対するどのような直接的配置も、時の経過と共に、多かれ少なかれ連結点上の可視クラックを意味しているが；本発明のケーソンにより提供されるコンクリート仕上げはこの問題を完全に解決する；
−家の運河化の可能性：補強の鉄を露出させないためにコンクリートが腐食されるべきでなくかつされないことが知られており、このようにして水路の内蔵が不可能とされてきたが、本発明によるケーソンでは鋳込みを包含したパネルは所望するだけの多くの水路を造るためにパス形成用のノッチ付けがされている。
【０００７】
本発明は幾らかの実施例が示されている添付図面に関連してより詳細に後述されるであろう。
【発明を実施するための最良の形態】
【０００８】
添付図面は最終構造物の一部として残されるべき、（補強された）コンクリートのためのケーソン構造の具体化および装置のためのシステムを示しており：
−煉瓦、プラスチック材料、肺胞状コンクリート、石、セラミックス、鉄、木、アルミニュームまたは上述材料の組合わせで実現され得るパネルＰであって、エヤースペースまたは遮断材料充満スペース付きのコンクリート保持機能を有するパネル；
−インサートＩＳであって、垂直は勿論水平方向にあるパネルＰ接続用の要素１；補強材（鉄カバー）内の鉄の制御および孔３内のコンクリートを貫通してパネルｂを掛け止めるための要素２；支持面４およびパネルのための間隔補足要素；および上記パネル静止保持のための要素５を備えているインサート；
−保持用直角部ＳＱであって、プラスチック材料、鉄、木、アルミニュームまたはそれらの組合わせで実現され、柱を垂直にするための連結ロッド挿入用の孔６および連結保持ロッドＳＴのための釘Ｃ挿入用の孔７を備えている直角部
とを包含している。
【図面の簡単な説明】
【０００９】
【図１】図１、２、３は本発明によるケーソンの３種類の構成を示しており、特に図１は連続した４枚のパネルＰ付きのケーソンの具体例を示しており、これらのパネルは端部ＭおよびＦの手段により相互に接合しており、かつこれらのパネルは断熱遮音容量増加のためのエヤースペースＡを備え、かつこれらのパネルはコンクリート鋳込みに対して上記パネルの掛け止め状態を維持しかつケージＧの鉄のエッジと所定間隔を維持するための好適な端部Ｄを備えている。
【図２】図２は図１による連続パネル付きのケーソンの具体例を示しており、異なる点はこの具体例においては遮断容量増加のためのエヤースペース１は備えられておらず：この変形例は特に断熱遮音が求められていない構造内に適用され得る。
【図３】図３は図１および２内に示されているのと同様なケーソンの直角部を示しており、より多くの連結要素を備えている。
【図４】図４、５、６、７、８、９および１０は本発明によるシステムの特殊具体例のための要素を示しており、特に図４は使い捨て煉瓦で造られたケーソン装置の斜視図である。
【図５】図５はパネルＰの連結のための異なるインサートの斜視図である。
【図６】図６はパネルＰの連結のための異なるインサートの斜視図である。
【図７】図７はパネルＰの連結のための異なるインサートの斜視図である。
【図８】図８はパネルＰの連結のための異なるインサートの斜視図である。
【図９】図９は保持用直角部の内側斜視図である。
【図１０】図１０は保持用直角部の外側斜視図である。
【国際公開パンフレット】
2004533567.tif 000003
2004533567.tif 000004
2004533567.tif 000005
2004533567.tif 000006
2004533567.tif 000007
2004533567.tif 000008
2004533567.tif 000009
2004533567.tif 000010
2004533567.tif 000011
2004533567.tif 000012
2004533567.tif 000013
2004533567.tif 000014
2004533567.tif 000015
2004533567.tif 000016
【国際調査報告】
2004533567.tif 000017
2004533567.tif 000018